(57)【要約】【課題】外部メモリのようなカードと該カードを覆うカバーのロックの解除が１回の動作により行われるため、使用に便利であり、さらに、カードをプッシュするための別途の空間が必要ないため、端末機の体積が減少できるカード取り出しメカニズム及びこれを備えた携帯端末機を提供する。【解決手段】カード取り出しメカニズムは、カードがプッシュ方式で取り出し可能に挿入されるカード挿入孔が形成されたボディと、前記ボディに開閉可能に装着されて前記カードを覆うカバーと、該カバーに設置され、プッシュすると、前記カバーのロックを解除すると同時に前記カードのロックを解除する作動ユニットとを含む。【選択図】図２
2006338663.tif 000002
【特許請求の範囲】
【請求項１】
カードがプッシュ方式で取り出し可能に挿入されるカード挿入孔が形成されたボディと、
前記ボディに開閉可能に装着されて前記カードを覆うカバーと、
該カバーに設置され、プッシュすると、前記カバーのロックを解除すると同時に前記カードのロックを解除する作動ユニットと
を含むことを特徴とするカード取り出しメカニズム。
【請求項２】
前記カードが、
メモリカード、使用者認識カード、銀行カードのうちいずれか１つであることを特徴とする請求項１に記載のカード取り出しメカニズム。
【請求項３】
前記カバーが、
一端は前記ボディにヒンジ連結され、他端は前記作動ユニットにより前記ボディにロックされることを特徴とする請求項１に記載のカード取り出しメカニズム。
【請求項４】
前記作動ユニットが、
前記カバーに設置される作動ボタンと、
該作動ボタンに連結されて前記カードをプッシュするプッシュロッドと、
前記カバーに設置され、前記作動ボタンが下降すると、前記カバーのロックを解除するカバーロック部とを含むことを特徴とする請求項１に記載のカード取り出しメカニズム。
【請求項５】
前記作動ボタンが、
前記カバーに昇降可能に設置されることを特徴とする請求項４に記載のカード取り出しメカニズム。
【請求項６】
前記作動ボタンが、
前記カバーと一体に形成されることを特徴とする請求項４に記載のカード取り出しメカニズム。
【請求項７】
前記作動ボタンが、
前記カバーに形成されたガイド溝に昇降可能に配置され、前記作動ボタンの下面には前記作動ボタンを押し上げる方向に付勢する弾性部材が設置されることを特徴とする請求項５に記載のカード取り出しメカニズム。
【請求項８】
前記プッシュロッドが、
前記作動ボタンの下面に一体に形成され、前記カードの上面に接触できる長さを有することを特徴とする請求項４に記載のカード取り出しメカニズム。
【請求項９】
前記カバーロック部が、
前記カバーに形成されたスライド溝に摺動可能に配置されて前記カバーをロックするロック部材と、
前記ロック部材に連結され、前記作動ボタンが下降すると、前記カバーのロックを解除する方向に前記ロック部材を移動させる作動部材とを含むことを特徴とする請求項４に記載のカード取り出しメカニズム。
【請求項１０】
前記作動部材が、
ワイヤであることを特徴とする請求項９に記載のカード取り出しメカニズム。
【請求項１１】
前記カバーロック部が、
前記ロック部材を復帰させる弾性部材をさらに含むことを特徴とする請求項９に記載のカード取り出しメカニズム。
【請求項１２】
前記作動ユニットが、
前記カバーに水平移動可能に設置される作動ボタンと、
前記カバーに昇降可能に設置され、前記作動ボタンが水平移動すると、前記作動ボタンに接触して前記カードをプッシュするプッシュロッドと、
前記カバーに設置され、前記ボタンが水平移動すると、前記カバーのロックを解除するカバーロック部とを含むことを特徴とする請求項１に記載のカード取り出しメカニズム。
【請求項１３】
前記作動ボタンが、
前記カバーに水平移動可能に配置され、前記作動ボタンの下面には該作動ボタンが水平移動すると、前記プッシュロッドをプッシュするように傾斜面が形成されることを特徴とする請求項１２に記載のカード取り出しメカニズム。
【請求項１４】
前記プッシュロッドが、
前記カバーに昇降可能に配置され、前記ボタンを復帰させる方向に付勢する弾性部材により支持されることを特徴とする請求項１２に記載のカード取り出しメカニズム。
【請求項１５】
前記カードが、
１回プッシュするとロックされ、もう１回プッシュするとロックが解除されるように前記ボディに装着されることを特徴とする請求項１に記載のカード取り出しメカニズム。
【請求項１６】
前記カバーロック部が、
前記カバーに形成されたスライド溝に摺動可能に配置されて前記カバーをロックするロック部材と、
該ロック部材を復帰させる方向に付勢する弾性部材とを含むことを特徴とする請求項１３に記載のカード取り出しメカニズム。
【請求項１７】
カードがプッシュ方式で取り出し可能に挿入されるカード挿入孔が形成された端末機ボディと、
前記端末機ボディに開閉可能に装着されて前記カードを覆うカバーと、
該カバーに設置され、プッシュすると、前記カバーのロックを解除すると同時に前記カードのロックを解除する作動ユニットと
を含むことを特徴とする携帯端末機。
【請求項１８】
前記カードが、
メモリカード、使用者認識カード、又は銀行カードのうちいずれか１つであることを特徴とする請求項１７に記載の携帯端末機。
【請求項１９】
前記カバーが、
一端は前記端末機ボディにヒンジ連結され、他端は前記作動ユニットにより前記端末機ボディにロックされることを特徴とする請求項１７に記載の携帯端末機。
【請求項２０】
前記作動ユニットが、
前記カバーに設置される作動ボタンと、
該作動ボタンに連結されて前記カードをプッシュするプッシュロッドと、
前記カバーに設置され、前記作動ボタンが下降すると、前記カバーのロックを解除するカバーロック部とを含むことを特徴とする請求項１７に記載の携帯端末機。
【請求項２１】
前記作動ボタンが、
前記カバーに昇降可能に設置されることを特徴とする請求項２０に記載の携帯端末機。
【請求項２２】
前記作動ボタンが、
前記カバーと一体に形成されることを特徴とする請求項２０に記載の携帯端末機。
【請求項２３】
前記作動ボタンが、
前記カバーに形成されたガイド溝に昇降可能に配置され、前記作動ボタンの下面には該作動ボタンを押し上げる方向に付勢する弾性部材が設置されることを特徴とする請求項２１に記載の携帯端末機。
【請求項２４】
前記プッシュロッドが、
前記作動ボタンの下面に一体に形成され、前記カードの上面に接触できる長さを有することを特徴とする請求項２０に記載の携帯端末機。
【請求項２５】
前記カバーロック部が、
前記カバーに形成されたスライド溝に摺動可能に配置されて前記カバーをロックするロック部材と、
該ロック部材に連結され、前記作動ボタンが下降すると、前記カバーのロックを解除する方向に前記ロック部材を移動させる作動部材とを含むことを特徴とする請求項２０に記載の携帯端末機。
【請求項２６】
前記作動部材が、
ワイヤであることを特徴とする請求項２５に記載の携帯端末機。
【請求項２７】
前記カバーロック部が、
前記ロック部材を復帰させる弾性部材をさらに含むことを特徴とする請求項２５に記載の携帯端末機。
【請求項２８】
前記作動ユニットが、
前記カバーに水平移動可能に設置される作動ボタンと、
前記カバーに昇降可能に設置され、前記作動ボタンが水平移動すると、前記作動ボタンに接触して前記カードをプッシュするプッシュロッドと、
前記カバーに設置され、前記ボタンが水平移動すると、前記カバーのロックを解除するカバーロック部とを含むことを特徴とする請求項１７に記載の携帯端末機。
【請求項２９】
前記作動ボタンが、
前記カバーに水平移動可能に配置され、前記作動ボタンの下面には該作動ボタンが水平移動するときに前記プッシュロッドをプッシュするように傾斜面が形成されることを特徴とする請求項２８に記載の携帯端末機。
【請求項３０】
前記プッシュロッドが、
前記カバーに昇降可能に配置され、前記ボタンを復帰させる方向に付勢する弾性部材により支持されることを特徴とする請求項２８に記載の携帯端末機。
【請求項３１】
前記カバーロック部が、
前記カバーに形成されたスライド溝に摺動可能に配置されて前記カバーをロックするロック部材と、
該ロック部材を復帰させる方向に付勢する弾性部材とを含むことを特徴とする請求項２８に記載の携帯端末機。
【請求項３２】
前記カードが、
１回プッシュするとロックされ、もう１回プッシュするとロックが解除されるように前記端末機ボディに装着されることを特徴とする請求項１７に記載の携帯端末機。
【発明の詳細な説明】
【技術分野】
【０００１】
本発明は、カード取り出しメカニズム及びこれを備えた携帯端末機に関し、特に、プッシュ方式でボディに取り出し可能に装着されたカードの取り出しとそのカードを覆うカバーの開放を１回の動作で可能にするカード取り出しメカニズム及びこれを備えた携帯端末機に関する。
【背景技術】
【０００２】
携帯電話やＰＤＡなどの携帯端末機は、移動中でも無線送受信、情報の閲覧又は処理が可能な電子機器の１つである。
【０００３】
最近の携帯端末機は、情報通信技術とメモリ技術の発展により、マルチメディアデータの送受信及び鑑賞を可能にする機能を備えている。例えば、ＶＯＤやゲームなどの動画像ファイルの再生、ＭＰ３などの音楽ファイルの再生、さらに、衛星通信を利用したテレビ放送の受信機能も備えている。
【０００４】
このように、マルチメディアデータが携帯端末機に積極的に活用されることにより、前記マルチメディアデータを保存する保存空間であるメモリの拡張の必要性が高くなった。しかしながら、前記メモリは、携帯端末機に内蔵されているため、携帯端末機のサイズを考慮して無制限に大きくするのが難しく、データの迅速な移転のためにも内蔵メモリ自体の拡大が望ましいとはいえない。
【０００５】
従って、メモリを外部に装着することで、メモリの容量が拡張でき、交換が簡便な外部メモリの使用が増加している。例えば、ＳＤ（ＳＥＣＵＲＥ  Ｄｉｇｉｔａｌ）カード、ＭＭＣ（Ｍｕｌｔｉｍｅｄｉａ  Ｃａｒｄ）、スマートメディアカードなどの外部カードを携帯端末機に装着することにより、外部メモリの使用が可能となった。
【０００６】
図８は、外部メモリカードの一例を示し、従来の外部型カードの着脱メカニズムを示す概略図である。
【０００７】
図８に示すように、端末機ボディ１の一側にはカード挿入孔２が形成され、該カード挿入孔２の内部にはカード５が挿入されるカードソケット３が備えられる。
【０００８】
カードソケット３は、カード５を１回プッシュすると該カード５をロックし、カード５をもう１回プッシュするとカードソケット３からカード５のロックを解除するプッシュ方式のカードロック装置４を備える。
【０００９】
カード挿入孔２の一側には、カード５をほこりや外部の衝撃から保護するカバー６が備えられる。
【００１０】
このような構成により、従来の端末機ボディ１にカード５を挿入するためには、カバー６を開放した後、カード５をカードソケット３に挿入する。
【００１１】
その後、カード５に所定の力を加えると、カード５がカードソケット３の内部に移動し、その状態で力を除去すると、カード５がカードソケット３にロックされた状態が維持されることで、カード５と端末機ボディ１が電気的に接続される。
【００１２】
カード５が端末機ボディ１に装着されると、カバー６を回転させてカード挿入孔２を閉鎖する。
【００１３】
カード５を取り出すためには、以上の過程を逆に行えばよい。すなわち、カバー６を開いてカード５を所定の力でプッシュすると、カードロック装置４からロックが解除される。そして、カードソケット３の内部に設置された弾性部材（図示せず）によりカード５が押し出される。
【発明の開示】
【発明が解決しようとする課題】
【００１４】
しなしながら、前述したような従来のカード取り出しメカニズムは、カード５を交換するために、カバー６を開き、カード５をプッシュし、その後、カード５を取り出す複数の動作が必要であるため、不便であるという問題があった。
【００１５】
また、カード５をプッシュするためには、使用者の指が挿入される指挿入部（図示せず）が必要であるため、携帯端末機の体積が増加するという問題があった。
【００１６】
本発明は、前述したような問題を解決するために提案されたもので、本発明の目的は、外部メモリのようなカードと該カードを覆うカバーのロックの解除が１回の動作により行われるため、使用に便利なカード取り出しメカニズム及びこれを備えた携帯端末機を提供することにある。
【００１７】
また、本発明の他の目的は、カードをプッシュするための別途の空間が必要ないため、端末機の体積が減少できるカード取り出しメカニズム及びこれを備えた携帯端末機を提供することにある。
【課題を解決するための手段】
【００１８】
このような目的を達成するために、本発明によるカード取り出しメカニズムは、カードがプッシュ方式で取り出し可能に挿入されるカード挿入孔が形成されたボディと、前記ボディに開閉可能に装着されて前記カードを覆うカバーと、該カバーに設置され、プッシュすると、前記カバーのロックを解除すると同時に前記カードのロックを解除する作動ユニットとを含むことを特徴とする。
【００１９】
前記カードは、メモリカード、使用者認識カード、銀行カードのうちいずれか１つである。
【００２０】
前記カバーは、一端は前記ボディにヒンジ連結され、他端は前記作動ユニットにより前記ボディにロックされる。
【００２１】
前記作動ユニットは、前記カバーに設置される作動ボタンと、該作動ボタンに連結されて前記カードをプッシュするプッシュロッドと、前記カバーに設置され、前記作動ボタンが下降すると、前記カバーのロックを解除するカバーロック部とを含む。
【００２２】
前記作動ボタンは、前記カバーに昇降可能に設置される。
【００２３】
また、前記作動ボタンは、前記カバーと一体に形成される。
【００２４】
さらに、前記作動ボタンは、前記カバーに形成されたガイド溝に昇降可能に配置され、その下面には前記作動ボタンを押し上げる方向に付勢する弾性部材が設置されることが好ましい。
【００２５】
前記プッシュロッドは、前記作動ボタンの下面に一体に形成され、前記カードの上面に接触できる長さを有することが好ましい。
【００２６】
前記カバーロック部は、前記カバーに形成されたスライド溝に摺動可能に配置されて前記カバーをロックするロック部材と、前記ロック部材に連結され、前記作動ボタンが下降すると、前記カバーのロックを解除する方向に前記ロック部材を移動させる作動部材とを含む。
【００２７】
前記作動部材は、ワイヤであることが好ましく、ワイヤであれば、作動ボタンの移動により柔軟に変形し、ロック部材を移動させることができる。
【００２８】
前記カバーロック部は、前記ロック部材を復帰させる弾性部材をさらに含む。
【００２９】
前記作動ユニットは、前記カバーに水平移動可能に設置される作動ボタンと、前記カバーに昇降可能に設置され、前記作動ボタンが水平移動すると、前記作動ボタンに接触して前記カードをプッシュするプッシュロッドと、前記カバーに設置され、前記ボタンが水平移動すると、前記カバーのロックを解除するカバーロック部とを含む。
【００３０】
前記作動ボタンは、前記カバーに水平移動可能に配置され、その下面には前記作動ボタンが水平移動すると、前記プッシュロッドをプッシュするように傾斜面が形成される。
【００３１】
前記プッシュロッドは、前記カバーに昇降可能に配置され、前記ボタンを復帰させる方向に付勢する弾性部材により支持される。
【００３２】
前記カードは、１回プッシュするとロックされ、もう１回プッシュするとロックが解除されるように前記ボディに装着される。
【００３３】
前記カバーロック部は、前記カバーに形成されたスライド溝に摺動可能に配置されて前記カバーをロックするロック部材と、該ロック部材を復帰させる方向に付勢する弾性部材とを含む。
【００３４】
また、このような課題を解決するために、本発明による携帯端末機は、カードがプッシュ方式で取り出し可能に挿入されるカード挿入孔が形成された端末機ボディと、前記端末機ボディに開閉可能に装着されて前記カードを覆うカバーと、該カバーに設置され、プッシュすると、前記カバーのロックを解除すると同時に前記カードのロックを解除する作動ユニットとを含むことを特徴とする。
【００３５】
上記目的を達成するために、本発明は、例えば、以下の手段を提供する。
【００３６】
（項目１）
カードがプッシュ方式で取り出し可能に挿入されるカード挿入孔が形成されたボディと、
上記ボディに開閉可能に装着されて上記カードを覆うカバーと、
該カバーに設置され、プッシュすると、上記カバーのロックを解除すると同時に上記カードのロックを解除する作動ユニットと
を含むことを特徴とするカード取り出しメカニズム。
【００３７】
（項目２）
上記カードが、
メモリカード、使用者認識カード、銀行カードのうちいずれか１つであることを特徴とする項目１に記載のカード取り出しメカニズム。
【００３８】
（項目３）
上記カバーが、
一端は上記ボディにヒンジ連結され、他端は上記作動ユニットにより上記ボディにロックされることを特徴とする項目１に記載のカード取り出しメカニズム。
【００３９】
（項目４）
上記作動ユニットが、
上記カバーに設置される作動ボタンと、
該作動ボタンに連結されて上記カードをプッシュするプッシュロッドと、
上記カバーに設置され、上記作動ボタンが下降すると、上記カバーのロックを解除するカバーロック部とを含むことを特徴とする項目１に記載のカード取り出しメカニズム。
【００４０】
（項目５）
上記作動ボタンが、
上記カバーに昇降可能に設置されることを特徴とする項目４に記載のカード取り出しメカニズム。
【００４１】
（項目６）
上記作動ボタンが、
上記カバーと一体に形成されることを特徴とする項目４に記載のカード取り出しメカニズム。
【００４２】
（項目７）
上記作動ボタンが、
上記カバーに形成されたガイド溝に昇降可能に配置され、上記作動ボタンの下面には上記作動ボタンを押し上げる方向に付勢する弾性部材が設置されることを特徴とする項目５に記載のカード取り出しメカニズム。
【００４３】
（項目８）
上記プッシュロッドが、
上記作動ボタンの下面に一体に形成され、上記カードの上面に接触できる長さを有することを特徴とする項目４に記載のカード取り出しメカニズム。
【００４４】
（項目９）
上記カバーロック部が、
上記カバーに形成されたスライド溝に摺動可能に配置されて上記カバーをロックするロック部材と、
上記ロック部材に連結され、上記作動ボタンが下降すると、上記カバーのロックを解除する方向に上記ロック部材を移動させる作動部材とを含むことを特徴とする項目４に記載のカード取り出しメカニズム。
【００４５】
（項目１０）
上記作動部材が、
ワイヤであることを特徴とする項目９に記載のカード取り出しメカニズム。
【００４６】
（項目１１）
上記カバーロック部が、
上記ロック部材を復帰させる弾性部材をさらに含むことを特徴とする項目９に記載のカード取り出しメカニズム。
【００４７】
（項目１２）
上記作動ユニットが、
上記カバーに水平移動可能に設置される作動ボタンと、
上記カバーに昇降可能に設置され、上記作動ボタンが水平移動すると、上記作動ボタンに接触して上記カードをプッシュするプッシュロッドと、
上記カバーに設置され、上記ボタンが水平移動すると、上記カバーのロックを解除するカバーロック部とを含むことを特徴とする項目１に記載のカード取り出しメカニズム。
【００４８】
（項目１３）
上記作動ボタンが、
上記カバーに水平移動可能に配置され、上記作動ボタンの下面には該作動ボタンが水平移動すると、上記プッシュロッドをプッシュするように傾斜面が形成されることを特徴とする項目１２に記載のカード取り出しメカニズム。
【００４９】
（項目１４）
上記プッシュロッドが、
上記カバーに昇降可能に配置され、上記ボタンを復帰させる方向に付勢する弾性部材により支持されることを特徴とする項目１２に記載のカード取り出しメカニズム。
【００５０】
（項目１５）
上記カードが、
１回プッシュするとロックされ、もう１回プッシュするとロックが解除されるように上記ボディに装着されることを特徴とする項目１に記載のカード取り出しメカニズム。
【００５１】
（項目１６）
上記カバーロック部が、
上記カバーに形成されたスライド溝に摺動可能に配置されて上記カバーをロックするロック部材と、
該ロック部材を復帰させる方向に付勢する弾性部材とを含むことを特徴とする項目１３に記載のカード取り出しメカニズム。
【００５２】
（項目１７）
カードがプッシュ方式で取り出し可能に挿入されるカード挿入孔が形成された端末機ボディと、
上記端末機ボディに開閉可能に装着されて上記カードを覆うカバーと、
該カバーに設置され、プッシュすると、上記カバーのロックを解除すると同時に上記カードのロックを解除する作動ユニットと
を含むことを特徴とする携帯端末機。
【００５３】
（項目１８）
上記カードが、
メモリカード、使用者認識カード、又は銀行カードのうちいずれか１つであることを特徴とする項目１７に記載の携帯端末機。
【００５４】
（項目１９）
上記カバーが、
一端は上記端末機ボディにヒンジ連結され、他端は上記作動ユニットにより上記端末機ボディにロックされることを特徴とする項目１７に記載の携帯端末機。
【００５５】
（項目２０）
上記作動ユニットが、
上記カバーに設置される作動ボタンと、
該作動ボタンに連結されて上記カードをプッシュするプッシュロッドと、
上記カバーに設置され、上記作動ボタンが下降すると、上記カバーのロックを解除するカバーロック部とを含むことを特徴とする項目１７に記載の携帯端末機。
【００５６】
（項目２１）
上記作動ボタンが、
上記カバーに昇降可能に設置されることを特徴とする項目２０に記載の携帯端末機。
【００５７】
（項目２２）
上記作動ボタンが、
上記カバーと一体に形成されることを特徴とする項目２０に記載の携帯端末機。
【００５８】
（項目２３）
上記作動ボタンが、
上記カバーに形成されたガイド溝に昇降可能に配置され、上記作動ボタンの下面には該作動ボタンを押し上げる方向に付勢する弾性部材が設置されることを特徴とする項目２１に記載の携帯端末機。
【００５９】
（項目２４）
上記プッシュロッドが、
上記作動ボタンの下面に一体に形成され、上記カードの上面に接触できる長さを有することを特徴とする項目２０に記載の携帯端末機。
【００６０】
（項目２５）
上記カバーロック部が、
上記カバーに形成されたスライド溝に摺動可能に配置されて上記カバーをロックするロック部材と、
該ロック部材に連結され、上記作動ボタンが下降すると、上記カバーのロックを解除する方向に上記ロック部材を移動させる作動部材とを含むことを特徴とする項目２０に記載の携帯端末機。
【００６１】
（項目２６）
上記作動部材が、
ワイヤであることを特徴とする項目２５に記載の携帯端末機。
【００６２】
（項目２７）
上記カバーロック部が、
上記ロック部材を復帰させる弾性部材をさらに含むことを特徴とする項目２５に記載の携帯端末機。
【００６３】
（項目２８）
上記作動ユニットが、
上記カバーに水平移動可能に設置される作動ボタンと、
上記カバーに昇降可能に設置され、上記作動ボタンが水平移動すると、上記作動ボタンに接触して上記カードをプッシュするプッシュロッドと、
上記カバーに設置され、上記ボタンが水平移動すると、上記カバーのロックを解除するカバーロック部とを含むことを特徴とする項目１７に記載の携帯端末機。
【００６４】
（項目２９）
上記作動ボタンが、
上記カバーに水平移動可能に配置され、上記作動ボタンの下面には該作動ボタンが水平移動するときに上記プッシュロッドをプッシュするように傾斜面が形成されることを特徴とする項目２８に記載の携帯端末機。
【００６５】
（項目３０）
上記プッシュロッドが、
上記カバーに昇降可能に配置され、上記ボタンを復帰させる方向に付勢する弾性部材により支持されることを特徴とする項目２８に記載の携帯端末機。
【００６６】
（項目３１）
上記カバーロック部が、
上記カバーに形成されたスライド溝に摺動可能に配置されて上記カバーをロックするロック部材と、
該ロック部材を復帰させる方向に付勢する弾性部材とを含むことを特徴とする項目２８に記載の携帯端末機。
【００６７】
（項目３２）
上記カードが、
１回プッシュするとロックされ、もう１回プッシュするとロックが解除されるように上記端末機ボディに装着されることを特徴とする項目１７に記載の携帯端末機。
【発明の効果】
【００６８】
本発明によるカード取り出しメカニズムは、１回のプッシュ動作でカードのロックの解除とカバーの開放が共に行われるので、カード取り出し動作が簡便になるという効果がある。
【００６９】
また、プッシュロッドのように小さい部材でカードのロックの解除が可能となるので、従来のように使用者が指でカードをプッシュできるように指挿入空間を備える必要がないため、端末機の小型化ができるという効果がある。
【発明を実施するための最良の形態】
【００７０】
以下、図面を参照して本発明による携帯端末機の望ましい実施形態を説明する。本実施形態では折り畳み型携帯端末機を示しているが、本発明は、その他の形態、すなわち、ストレート型やスライド型などの携帯端末機にも適用できる。
【００７１】
図１は、本発明の第１実施形態による携帯信端末機の斜視図である。
【００７２】
図１に示すように、携帯端末機１０は、上面に入力のためのキーパッド１２が設置された第１端末機ボディ１１と、内側面に視覚情報を表示するディスプレイ１４が設置され、一端が第１端末機ボディ１１に回転開閉可能に連結される第２端末機ボディ１３とから構成される。
【００７３】
第１端末機ボディ１１には、カード（図示せず）がプッシュ方式で挿入されるカード挿入孔（図示せず）が形成されている。
【００７４】
第１端末機ボディ１１の側面には、プッシュ方式で第１端末機ボディ１１に取り出し可能に装着されるカードを覆うカバー２１と、該カバー２１に設置され、プッシュするとカバー２１のロックを解除すると同時にカード２５のロックを解除する作動ユニット３０とが設置される。
【００７５】
図２は、図１のカード取り出しメカニズムを示す断面図である。
【００７６】
図２に示すように、第１端末機ボディ１１に形成されたカード挿入孔１７の内部には、カード２５をロックして第１端末機ボディ１１に電気的に接続させるカードソケット２３が設置される。
【００７７】
カードソケット２３には、カード２５を第１端末機ボディ１１側に１回プッシュするとカード２５をロックし、もう１回プッシュするとロックを解除するカードロック装置２４が装着される。
【００７８】
カバー２１の一端は、第１端末機ボディ１１にヒンジ２２により連結され、カバー２１の他端は、作動ユニット３０により第１端末機ボディ１１にロックされる。第１端末機ボディ１１には、カバー２１が作動ユニット３０により係止されるように係止段差１６が備えられる。
【００７９】
カバー２１は、作動ユニット３０が装着できるように上部カバー２１ｂと下部カバー２１ａとからなる。
【００８０】
作動ユニット３０は、カバー２１に昇降可能に設置される作動ボタン３１と、該作動ボタン３１に連結されてカード２５をプッシュするプッシュロッド３３と、カバー２１に設置され、作動ボタン３１が下降すると、カバー２１のロックを解除するカバーロックとから構成される。一方、作動ボタン３１は、カバー２１と一体に形成することもできる。
【００８１】
カバー２１には、作動ボタン３１を昇降可能に案内するガイド溝３２が形成され、作動ボタン３１の下面には作動ボタン３１を押し上げる方向に付勢する第１弾性部材３４が設置される。
【００８２】
プッシュロッド３３は、作動ボタン３１の下面に一体に形成され、カード２５の上面に接触できる長さを有することが好ましい。これにより、作動ボタン３１の下降によりプッシュロッド３３が下降すると、カード２５も共にプッシュされる。
【００８３】
前記カバーロック部は、カバー２１に形成されたスライド溝３６に摺動可能に配置され、カバー２１をロックするロック部材３５と、該ロック部材３５に連結され、作動ボタン３１が下降すると、カバー２１のロックを解除させる方向にロック部材３５を移動させる作動部材３７とから構成される。
【００８４】
作動部材３７は、図示されたように、作動ボタン３１の移動方向とロック部材３５の移動方向とが異なる場合も適用できるように、柔軟に変形できるワイヤで形成できる。
【００８５】
以下、本実施形態による作用を説明する。
【００８６】
図２に示すように、カード２５がカードソケット２３に挿入されてロックされ、かつカバー２１が係止段差１６に係止されている状態で、カード２５を取り出してカバー２１を開放するために、使用者は作動ユニット３０に１回の動作を行う。
【００８７】
図３及び図４は、第１実施形態による作動ボタンをプッシュしたときのカバー及びカードの移動を示す動作状態図である。
【００８８】
図３に示すように、作動ボタン３１をプッシュすると、プッシュロッド３３も共にプッシュされる。これにより、プッシュロッド３３がカード２５をカード挿入孔１７の内部方向に押し入れることで、カードロック装置２４の作用によりカード２５のロックが解除される。
【００８９】
これと同時に、作動ボタン３１に連結されているワイヤ３７も共に作動ボタン３１の移動方向に移動し、結果的に、ロック部材３５も係止段差１６から離脱する。
【００９０】
その後、作動ボタン３１から力を除去すると、カードソケット２３に設置されている弾性装置（図示せず）により、カード２５はカバー２１を押し上げて外部に取り出される（図４を参照）。
【００９１】
すなわち、１回のプッシュ動作でカード２５とカバー２１のロック状態を解除するメカニズムが実現される。
【００９２】
カバー２１が押し上げられると、作動ボタン３１の下面に設置された第１弾性部材３４により作動ボタン３１が再び上昇し、ロック部材３５も第２弾性部材３８により元の位置に復帰する。
【００９３】
カード２５を装着するためには、取り出しの過程とは反対に、カード２５をカードソケット２３に挿入した後、カバー２１をプッシュすればよい。すなわち、カバー２１をプッシュする動作でカード２５も共にプッシュされるので、カードロック装置２４によりカード２５がロックされると同時に、ロック部材３５も係止段差１６に係止されてロックされる。
【００９４】
図５は、本発明の第２実施形態によるカード取り出しメカニズムを示す断面図である。ここでは、作動ボタン１３１を水平にプッシュすることでカード２５とカバー１２１のロックが同時に解除される。
【００９５】
カバー１２１は、上部カバー１２１ａと下部カバー１２１ｂとから構成され、その内部には作動ボタン１３１を水平移動可能に案内するガイド溝１３２が形成されている。
【００９６】
ガイド溝１３２の下部には、カード２５の上面がプッシュできるように昇降可能なプッシュロッド１３３が装着される。
【００９７】
プッシュロッド１３３は、作動ボタン１３１が反対方向（図面の右方向）に移動するときに下方にプッシュされたプッシュロッド１３３を上昇方向に付勢する第１弾性部材１３４により支持されている。
【００９８】
作動ボタン１３１の下面には、作動ボタン１３１が水平（図面の左方向）に移動するときにプッシュロッド１３３をプッシュする傾斜面１３９が形成される。
【００９９】
作動ボタン１３１の一側には、作動ボタン１３１の左右水平移動によりカバー１２１を係止段差１６にロックするか、係止段差１６からカバー１２１が離脱するようにロック部材１３５が連結される。
【０１００】
ロック部材１３５は、カバー１２１に形成されたスライド溝１３６に摺動可能に配置され、作動ボタン１３１の一側には水平に移動した作動ボタン１３１及びロック部材１３５が復帰するように付勢する第２弾性部材１３８が備えられる。
【０１０１】
以下、このような構成による作用を説明する。
【０１０２】
図６及び図７は、第２実施形態による作動ボタンをプッシュしたときのカバー及びカードの移動を示す動作状態図である。
【０１０３】
図６に示すように、図５の状態で作動ボタン１３１が水平（図面の左方向、すなわち、矢印方向）にプッシュされると、傾斜面１３９に接触しているプッシュロッド１３３も下方にプッシュされる。
【０１０４】
これにより、プッシュロッド１３３がカード２５をカード挿入孔１７の内部方向に押し入れると、カード２５のロックがカードロック装置２４の作用により解除される。
【０１０５】
これと同時に、作動ボタン１３１に連結されているロック部材１３５も共に作動ボタン１３１の移動方向に移動し、結果的に、ロック部材１３５も係止段差１６から離脱する。
【０１０６】
その後、作動ボタン１３１から力を除去すると、カードソケット２３に設置されている弾性装置（図示せず）によりカード２５はカバー１２１を押し上げて外部に取り出される（図７）。
【０１０７】
すなわち、第１実施形態と同様に、１回のプッシュ動作でカード２５とカバー１２１のロック状態を共に解除するメカニズムが実現される。
【０１０８】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【０１０９】
外部メモリのようなカードと該カードを覆うカバーのロックの解除が１回の動作により行われるため、使用に便利であり、さらに、カードをプッシュするための別途の空間が必要ないため、端末機の体積が減少できるカード取り出しメカニズム及びこれを備えた携帯端末機を提供する。
【０１１０】
カード取り出しメカニズムは、カードがプッシュ方式で取り出し可能に挿入されるカード挿入孔が形成されたボディと、前記ボディに開閉可能に装着されて前記カードを覆うカバーと、該カバーに設置され、プッシュすると、前記カバーのロックを解除すると同時に前記カードのロックを解除する作動ユニットとを含む。
【図面の簡単な説明】
【０１１１】
【図１】本発明の第１実施形態による携帯端末機の斜視図である。
【図２】図１のカード取り出しメカニズムを示す断面図である。
【図３】本発明の第１実施形態による作動ボタンをプッシュしたときのカバー及びカードの移動を示す動作状態図である。
【図４】本発明の第１実施形態による作動ボタンをプッシュしたときのカバー及びカードの移動を示す動作状態図である。
【図５】本発明の第２実施形態によるカード取り出しメカニズムを示す断面図である。
【図６】本発明の第２実施形態による作動ボタンをプッシュしたときのカバー及びカードの移動を示す動作状態図である。
【図７】本発明の第２実施形態による作動ボタンをプッシュしたときのカバー及びカードの移動を示す動作状態図である。
【図８】従来のカード取り出しメカニズムを示す概略図である。
【符号の説明】
【０１１２】
１０：携帯端末機
１１：第１端末機ボディ
１２：キーパッド
１３：第２端末機ボディ
１４：ディスプレイ
１６：係止段差
２１、１２１：カバー
２１ｂ、１２１ａ：上部カバー
２１ａ、１２１ｂ：下部カバー
２２、１２２：ヒンジ
２３：カードソケット
２４：カードロック装置
２５：カード
３０、１３０：作動ユニット
３１、１３１：作動ボタン
３２、１３２：ガイド溝
３３、１３３：プッシュロッド
３４、１３４：第１弾性部材
３５、１３５：ロック部材
３６、１３６：スライド溝
３７：ワイヤ
３８、１３８：第２弾性部材
１３９：傾斜面
【図１】
2006338663.tif 000003
【図２】
2006338663.tif 000004
【図３】
2006338663.tif 000005
【図４】
2006338663.tif 000006
【図５】
2006338663.tif 000007
【図６】
2006338663.tif 000008
【図７】
2006338663.tif 000009
【図８】
2006338663.tif 000010